(57)【要約】【課題】閉塞構成が簡単であるとともに、施工性が良好な貫通孔閉塞構造を提供する点にある。【解決手段】防火区画領域にある耐火構造体１に形成された貫通孔Ｂとこれに挿通された長尺体２との間の隙間Ｓ内に、耐火性を有する耐火弾性材４が充填されている。【選択図】図１
2008111261.tif 000002
【特許請求の範囲】
【請求項１】
防火区画領域にある耐火構造体に形成された貫通孔とこれに挿通された長尺体との間の隙間内に、耐火性を有する耐火弾性材が充填されている貫通孔閉塞構造。
【請求項２】
防火構造体が、表裏に壁部材が用いられて壁部材同士の間に空間が形成されている中空壁から構成され、表裏の壁部材に軸芯を同じに貫通孔が形成され、貫通孔とこれに挿通された長尺体との間の隙間に、耐火性を有する耐火弾性材が充填されている貫通孔閉塞構造。
【請求項３】
前記耐火弾性材が、耐火性を有するシリコンを主材とするペースト状態からゴム状態に硬化するシリコンシーリング材から構成されている請求項１又は２記載の貫通孔閉塞構造。
【請求項４】
前記長尺体が、外周面に耐火層を備える塩化ビニル管から構成されている請求項１、２又は３記載の貫通孔閉塞構造。
【発明の詳細な説明】
【技術分野】
【０００１】
本発明は、耐火構造体に形成された貫通孔とこれに挿通される長尺体との間の隙間を閉塞する貫通孔閉塞構造に関する。
【背景技術】
【０００２】
一般に、表裏に壁面ボード等の壁部材が用いられて、壁部材同士の間に空間が形成されている中空壁等の場合、表裏の壁部材に軸芯を同じに貫通孔が形成され、この貫通孔とこれに挿通された長尺体との間には隙間が存在し、この隙間が防火区画する上で閉塞する必要があるため、従来から種々の貫通孔閉塞構造が考えられている。
従来の貫通孔閉塞構造は、例えば、表側の壁部材の貫通孔側及び裏側の壁部材の貫通孔に夫々に、基端に鍔部が形成された筒状体を鍔部が壁部材の貫通孔周縁に当接するまで挿入して、壁部材同士の間の空間で両筒状体の先端部同士を嵌合し、次いで、一方の筒状体内に支持させた複数のビスを他方の筒状体の対応する雌ネジに螺合状態にして、各ビスの螺入長さを同調しながら変えることによって、両筒状体の鍔部を対応する壁部材の貫通孔周縁部に当接状態に縮めて、中空壁の表裏の貫通孔に跨る筒状のスリーブを形成し、そして、このスリーブに長尺体を挿通した状態で、スリーブとこれに挿通される長尺体との間の隙間に熱膨張性耐熱シール材を充填することで形成される（例えば、特許文献１を参照）。
【０００３】
【特許文献１】特開２００５−１９４７６５号公報（第４〜５頁、図１）
【発明の開示】
【発明が解決しようとする課題】
【０００４】
しかしながら、このような貫通孔閉塞構造においては、一端に鍔部が形成され他端部が互いに嵌合可能で、且つ、ネジ螺合によって伸縮可能な専用部品である筒状体が必要であるとともに、中空孔の貫通孔の内径が異なればそれに対応した筒状体が必要な問題がある。
また、中空壁に長尺体が挿通される前に筒状体を組付けてスリーブを形成する必要があるとともに、スリーブに長尺体が挿通された後で、スリーブとこれに挿通された長尺体との間の隙間に膨張性耐熱シール材をスリーブの全長に沿って充填する必要があり、充填に手間がかかり施工性が悪い問題がある。
【０００５】
本発明は上記の事情に鑑みてなされたものであり、その目的とするところは、閉塞構成が簡単であるとともに、施工性が良好な貫通孔閉塞構造を提供する点にある。
【課題を解決するための手段】
【０００６】
本発明の第１番目の貫通孔閉塞構造の特徴構成は、防火区画領域にある耐火構造体に形成された貫通孔とこれに挿通された長尺体との間の隙間内に、耐火性を有する耐火弾性材が充填されている点にある。
【０００７】
このような構成によれば、貫通孔とこれに挿通される長尺体との間の隙間が耐火弾性材によって閉塞されて防火構造体を防火区画することができる。
また、長尺体に起因して該長尺体に振動が生じることがあっても、耐火弾性材の存在によって振動が減衰されて、長尺体からの振動が耐火構造体に伝播することを阻止することができる。
【０００８】
従って、簡単な閉塞構造であるとともに、施工性が良好で信頼性の高い貫通孔閉塞構造を形成することができる。
【０００９】
本発明の第２番目の貫通孔閉塞構造の特徴構成は、防火構造体が、表裏に壁部材が用いられて壁部材同士の間に空間が形成されている中空壁から構成され、表裏の壁部材に軸芯を同じに貫通孔が形成され、貫通孔とこれに挿通された長尺体との間の隙間に、耐火性を有する耐火弾性材が充填されている点にある。
【００１０】
このような構成によれば、表裏の壁部材に分断された貫通孔とこれらに挿通される長尺体との間の２つの隙間を耐火弾性材で閉塞することにより、万が一に火災が生じた場合であっても、防火構造体である表裏の壁部材を防火区画することができるとともに、長尺体に起因して該長尺体に振動が生じることがあっても、耐火弾性材の存在によって振動が減衰されて、長尺体からの振動が表裏の壁部材に伝播することを阻止することができる。
【００１１】
従って、表裏に壁部材の貫通孔を簡単な構成で閉塞することができながら、信頼性の高い貫通孔閉塞構造を形成することができる。
【００１２】
本発明の第３番目の貫通孔閉塞構造の特徴構成は、前記耐火弾性材が、耐火性を有するシリコンを主材とするペースト状態からゴム状態に硬化するシリコンシーリング材から構成されている点にある。
【００１３】
このような構成によれば、耐火構造体に形成された貫通孔とこれに挿通された長尺体との間の隙間に、ペースト状態のシリコンシーリング材を隙間に対応した量を充填することにより、ペースト状態からゴム状態に硬化して隙間を閉塞することができる。
【００１４】
従って、簡単で迅速な施工が可能となり施工性の向上を図ることができる。
【００１５】
本発明の第４番目の貫通孔閉塞構造の特徴構成は、前記長尺体が、外周面に耐火層を備える塩化ビニル管から構成されている点にある。
【００１６】
このような構成によれば、長尺体自体が耐火層によって防火区画され、この長尺対が貫通孔との間の隙間に充填された耐火弾性材によって耐火構造体の防火区画がなされるといった二重の防火区画がなされているので、万が一の火災に遭遇した場合、例え塩化ビニル管が耐火層内で蒸し焼き状態にあっても、耐火弾性材と長尺体の耐火層は火災に耐えて、貫通孔とこれに挿通される長尺体との間の隙間の閉塞状態を維持することができるので、従来のように、貫通孔に対応する長尺体部分が焼失する状態になって、貫通孔と長尺体の間の隙間に充填された熱膨張性材が焼失した分を補うように熱膨張して火災の遅延化を図る構成に比べて、時間的に長く非火災側の部屋に火災が延焼するのを遅延化することができる。
【００１７】
従って、信頼性の高い防火区画を形成することができる。
【発明を実施するための最良の形態】
【００１８】
以下、本発明の貫通孔閉塞構造の実施例を図面に基づいて説明する。
［実施形態］
この実施形態の貫通孔閉塞構造Ａは、建家の防火構造体である中空壁１に形成される貫通孔Ｂとこれに挿通される長尺体２との間の隙間Ｓに耐火弾性材４を充填する例を説明する。
【００１９】
前記中空壁Ａは、図１、図３に示すように、表裏に壁部材１Ａ，１Ｂが用いられて壁部材同士の間に空間１Ｃが形成されて構成されている。この中空壁１の長尺体３が貫通する対応部分には、表裏の壁部材１Ａ，１Ｂに軸芯を同じに貫通孔Ｂが形成され、この貫通孔Ｂに長尺体３が挿通されている。
【００２０】
表裏の壁部材１Ａ，１Ｂに形成された貫通孔とこれに挿通された長尺体３との間の隙間Ｓ、Ｓには、耐火弾性材４が充填されている。
【００２１】
この実施形態の耐火弾性材４は、耐火性を有するシリコンを主材とするペースト状態からゴム状態に硬化するシリコンシーリング材から構成されている。このシリコンシーリング材は、密閉空間内でペースト状態を維持し空気開放状態で硬化するものが用いられている。
【００２２】
シリコンシーリング材は、中空壁１を構成する壁部材の素材が、石膏ボード、けい酸カルシュウム板等であっても密着性がよいとともに、長尺体がアスファルト等の被覆があっても密着性がよい。
【００２３】
そして、このような耐火弾性材４は、例えば、図示しないがペースト状態で密閉容器に収納されている耐火弾性材を押し出し器に補填して、この押し出し器を用いて充填される。
【００２４】
前記長尺体３は、図１、図２に示すように、内側に耐火層である防火・防音層５が形成されこれの外側に遮音層６が積層形成された被覆チューブ３が被覆された塩化ビニル管８から構成されている。塩化ビニル管８自体は、難燃性はあるものの万が一の火災に遭遇した場合、軟化や焼失を生じるため、防火・防音層５によって火災熱や炎が直接に管自体に及ばない構成にして軟化や焼失の遅延化が図られている。
【００２５】
前記被覆チューブ３の防火・防音層５は、綿塊状のロックウール又はグラスウールを主材に構成され、遮音層６は、アスファルト、ゴム素材、高分子樹脂等を主材に構成され、遮音層６の外周面には、ポリエチレン、ポリプロピレン、塩化ビニル、ＡＢＳ樹脂、ＡＳＳ樹脂等のシート層又は、合成樹脂製の不織布からなる化粧層７が設けられている。
【００２６】
このような構成であれば、表裏の壁部材１Ａ，１Ｂに分かれて形成される各貫通孔Ｂ，Ｂとこれに挿通される長尺体３との間の隙間Ｓ，Ｓの夫々に耐火弾性材４を充填することにより、夫々の隙間Ｓ，Ｓを閉塞して中空壁１である耐火構造体を防火区画することができる。
【００２７】
具体的には、図３に示すように、表側の壁部材１Ａに形成された貫通孔Ｂとこれに挿通される長尺体３との間の隙間Ｓと、裏側の壁部材１Ｂに形成された貫通孔Ｂとこれに挿通される長尺体３との間の隙間Ｓとに、ペースト状態の耐火弾性材４を押し出し器によって、図１に示すように、隙間Ｓに対応した量を充填して２つの隙間Ｓ，Ｓを閉塞し、しかる後、充填された耐火弾性材４がゴム状に硬化するのを待って貫通孔閉塞構造Ａが形成される。
【００２８】
そして、万が一に火災が生じた場合であっても、火災側の壁部材１Ａ（１Ｂ）の隙間に充填された耐火弾性材４によって、非火災側の壁部材１Ｂ（１Ａ）に火災が延焼するのを遅延化することができ、たとえ火災が非火災側の壁部材１Ｂ（１Ａ）に至った場合であっても、非火災側の壁部材１Ｂ（１Ａ）の隙間Ｓに充填された耐火弾性材４によって、非火災側の部屋に火災が延焼するのを遅延化することができるといった、中空壁１に対応した防火区画を構築することができる。
【００２９】
しかも、長尺体３自体が防火・防音層５によって防火区画され、このような長尺体３が貫通孔Ｂとの間の隙間Ｓに充填された耐火弾性材４によって中空壁１の防火区画がなされるので、万が一の火災に遭遇した場合、耐火弾性材４と長尺体２の防火・防音層５があることによって、貫通孔Ｂとこれに挿通される長尺体２との間の隙間Ｓの閉塞状態を維持することができる。
【００３０】
［別実施形態］
１）上記実施形態の貫通孔閉塞構造Ａでは、耐火構造体である中空壁１における表裏の壁部材１Ａ，１Ｂに形成される貫通孔Ｂ，Ｂと、これに挿通された長尺体２との間の２つの隙間Ｓ，Ｓに、ペースト状態の耐火弾性材４が充填される例を説明したが、本発明はこれに限らず、シーリング材がゴム状態に硬化した耐火材を断面円形や断面角形等の長尺体に形成したものを充填に用いてもよい。
【００３１】
この場合、表側の壁部材に形成された貫通孔とこれに挿通される長尺体との間の隙間と、裏側の壁部材に形成された貫通孔とこれに挿通される長尺体との間の隙間とに、貫通孔の内周に沿って耐火弾性材を弾性復元力に抗して押し込み充填して２つの隙間を閉塞することにより貫通孔閉塞構造が形成される。
【００３２】
２）上記実施形態の貫通孔閉塞構造Ａでは、耐火構造体である中空壁１における表裏の壁部材１Ａ，１Ｂに形成される貫通孔Ｂ，Ｂと、これに挿通された長尺体２との間の２つの隙間Ｓ，Ｓに耐火弾性材４が充填される例を説明したが、本発明はこれに限らず、コンクリート打設された床や壁等の耐火構造体に形成された貫通孔と、これに挿通された長尺体との間の１つの隙間に耐火弾性材が充填されるものであってもよい。
【００３３】
３）上記実施形態では、貫通孔Ｂとこれに挿通される長尺体２との間の隙間Ｓに耐火弾性材４を充填する例を説明したが、本発明はこれに限らず、図４に示すように、貫通孔Ｂに挿通される長尺体２の挿通部分に予めにペースト状態の耐火弾性材４Ａを塗設した後に、貫通孔Ｓとこれに挿通される長尺体２との間の隙間Ｓに耐火弾性材４が充填される貫通孔閉塞構造Ａであってもよい。
この場合、長尺体２が焼失や変形することで、火災側の火災熱や炎が壁部材１Ａ，１Ｂ同士の間の空間１Ｃに至ることがあっても、空間１Ｃ内の長尺体２を取り囲むように耐火弾性材４Ａが熱膨張して断熱層を形成することで、空間１Ｃ内に延焼するのを遅延化することができる。
【００３４】
４）上記実施形態では、耐火弾性材を構成するシーリング材にシリコンシーリング材を用いたものについて説明したが、本発明はこれに限らず、変成シリコン系等のシーリング材を用いた耐火弾性材であっても、シリコンゴムを断面円形や断面角形等の長尺体に形成し、この場合、表側の壁部材１Ａに形成された貫通孔Ｂとこれに挿通される長尺体２との間の隙間Ｓ，Ｓと、裏側の壁部材１Ｂに形成された貫通孔Ｂとこれに挿通される長尺体２との間の隙間Ｓとに、貫通孔Ｂの内周に沿って耐火弾性材４を弾性復元力に抗して押し込み充填して２つの隙間Ｓ，Ｓを閉塞することにより貫通孔閉塞構造Ａが形成される。
【００３５】
５）長尺体は、被覆チューブＣが被覆されているものに限らず、図５に示すように、被覆チューブＣが被覆されていない排水管等の長尺体２であっても同様の作用効果を生じる。
【図面の簡単な説明】
【００３６】
【図１】中空壁の貫通孔閉塞構造の要部を示す側断面図
【図２】貫通孔閉塞構造の要部を示す正断面図
【図３】中空壁の貫通孔の長尺体が挿通された状態を示す側断面図
【図４】別実施形態の貫通孔閉塞構造の要部を示す側断面図
【図５】被覆チューブが被覆されていない長尺体が対象の場合の貫通孔閉塞構造の要部を示す側断面図
【符号の説明】
【００３７】
Ａ          貫通孔閉塞構造
Ｂ          貫通孔
Ｓ          隙間
１          中空壁（耐火構造体）
１Ａ        表側の壁部材
１Ｂ        裏側の壁部材
１Ｃ        空間
２          長尺体
４          耐火弾性材
４Ａ        シーリング材
５          防火・防音層（耐火層）
【図１】
2008111261.tif 000003
【図２】
2008111261.tif 000004
【図３】
2008111261.tif 000005
【図４】
2008111261.tif 000006
【図５】
2008111261.tif 000007